(57)【要約】【課題】本発明は、化粧カバーをトイレ装置により密着させることにより、外観全体として一体感のある高意匠のトイレ装置を提供することを目的とするものである。【解決手段】側面に化粧カバー２、３を備えたトイレ装置１において、化粧カバー２、３はトイレ装置１に固定するための固定部（フック３２、受部３３、支持部３４）を備え、化粧カバー２、３は、それ自体が撓んだ状態で前記トイレ装置１に固定されることを特徴としている。このように構成された本発明においては、化粧カバー２、３がトイレ装置１にそれ自体が撓んだ状態で固定されるため、トイレ装置１に製造誤差が発生し、トイレ装置１と化粧カバー２、３とに隙間が生じたとしても、化粧カバー２、３をトイレ装置１に密着して固定することができるため、カバー２、３とトイレ装置１との隙間が減り、外観全体として一体感のある高意匠のトイレ装置１を提供することができる。【選択図】  図１
2011064057.tif 000002
【特許請求の範囲】
【請求項１】
側面に化粧カバーを備えたトイレ装置において、前記化粧カバーは前記トイレ装置に固定するための固定部を備え、前記化粧カバーは、それ自体が撓んだ状態で前記トイレ装置に固定されることを特徴とするトイレ装置。
【請求項２】
前記化粧カバーは、前記トイレ装置より取り外した状態で、前記化粧カバーの外郭が前記トイレ装置への取付方向とは逆方向に湾曲する湾曲部を有しており、前記化粧カバーを前記トイレ装置に取り付けた状態で、前記湾曲部が前記トイレ装置の外郭に倣うように構成されていることを特徴とする請求項１記載のトイレ装置。
【請求項３】
前記化粧カバーは、前記化粧カバーを前記トイレ装置に取り付けた状態で、前記化粧カバーの外郭は前記トイレ装置側に湾曲していることを特徴とする請求項１又は２記載のトイレ装置。
【請求項４】
前記トイレ装置の前記化粧カバーとの外郭接触面は、斜面テーパー形状になっていることを特徴とする請求項１乃至３の何れか一項に記載のトイレ装置。
【請求項５】
前記化粧カバーは、前記化粧カバーの上方側に配置され前記トイレ装置を内外側から挟み込むことにより固定される上方固定部と、前記化粧カバーの下方側に配置され前記トイレ装置と接着するにより固定される下方固定部と、を備えていることを特徴とする請求項１乃至４の何れか一項にに記載のトイレ装置。
【請求項６】
前記上方固定部は、前記化粧カバーとは別部材で構成され、前記化粧カバーを前記トイレ装置に固定するための挟持部と、前記上方固定部を前記化粧カバーに回転自在に取り付けるための支軸と、前記上方固定部が回転しないように前記化粧カバーに固定するための係止部とを備えていることを特徴とする請求項５に記載のトイレ装置。
【発明の詳細な説明】
【技術分野】
【０００１】
本発明は、トイレ室に設置するトイレ装置に関するものである。
【背景技術】
【０００２】
従来のトイレ装置は、トイレ装置をトイレ室の床に設置する際の施工スペースとして装置本体の後方に凹部が設けられていたり、トイレ装置本体のトラップがむき出しになっていたりしており、それらによりトイレ装置全体の外観意匠が低下することを防ぐために、化粧カバーで覆い隠しているものがある（例えば、特許文献１、特許文献２参照。）。
このような場合、トイレ装置に用いられる化粧カバーは、トイレ装置と別材質であることが多く、トイレ装置と化粧カバーとの間に隙間が生まれ、トイレ装置と化粧カバーとを密着させて外観全体としての一体感のある高意匠のトイレ装置を実現することが難しいという問題がある。
【先行技術文献】
【特許文献】
【０００３】
【特許文献１】特開２００２−２１３００７号公報
【特許文献２】特開２００６−３２８７２５号公報
【発明の概要】
【発明が解決しようとする課題】
【０００４】
本発明は、上記課題を解決するためになされたもので、本発明は、化粧カバーをトイレ装置により密着させることにより、外観全体として一体感のある高意匠のトイレ装置を提供することを目的とするものである。
【課題を解決するための手段】
【０００５】
上記目的を達成するために、本発明は、側面に化粧カバーを備えたトイレ装置において、前記化粧カバーは前記トイレ装置に固定するための固定部を備え、前記化粧カバーは、それ自体が撓んだ状態で前記トイレ装置に固定されることを特徴としている。
このように構成された本発明においては、化粧カバーがトイレ装置にそれ自体が撓んだ状態で固定されるため、トイレ装置に製造誤差が発生し、トイレ装置と化粧カバーとに隙間が生じたとしても、化粧カバーをトイレ装置に密着して固定することができるため、カバーとトイレ装置との隙間が減り、外観全体として一体感のある高意匠のトイレ装置を提供することができる。
【０００６】
本発明において、好ましくは、前記化粧カバーは、前記トイレ装置より取り外した状態で、前記化粧カバーの外郭が前記トイレ装置への取付方向とは逆方向に湾曲する湾曲部を有しており、前記化粧カバーを前記トイレ装置に取り付けた状態で、前記湾曲部が前記トイレ装置の外郭に倣うように構成されていることを特徴としている。
このように構成された本発明においては、化粧カバーは、トイレ装置より取り外した状態で、化粧カバーの外郭がトイレ装置への取付方向とは逆方向に湾曲し、トイレ装置に取り付けた状態で、トイレ装置の外郭に倣う湾曲部を有しているため、トイレ装置に化粧カバーを取り付けた際に、この化粧カバーの湾曲部がトイレ装置に倣うように撓んだ状態で取付られるために、化粧カバーをトイレ装置の外郭と一体的に密着して固定することができるため、カバーとトイレ装置との隙間が減り、外観全体としてより一体感のある高意匠のトイレ装置を提供することができる。
【０００７】
本発明において、好ましくは、前記化粧カバーは、前記化粧カバーを前記トイレ装置に取り付けた状態で、前記化粧カバーの外郭は前記トイレ装置側に湾曲していることを特徴としている。
このように構成された本発明においては、化粧カバーがトイレ装置側に湾曲して撓んだ状態で固定されるため、カバーとトイレ装置との隙間が減り、化粧カバーをトイレ装置に密着して固定することができる。それにより、外観全体としてより一体感のある高意匠のトイレ装置を提供することができる。
【０００８】
本発明において、好ましくは、トイレ装置の化粧カバーとの外郭接触面は、斜面テーパー形状になっていることを特徴としている。
このように構成された本発明においては、トイレ装置に製造誤差が発生し、トイレ装置と化粧カバーとの接触面に寸法のズレが生じたとしても、そのズレを目立たなくすることができるので、外観全体としてより一体感のある高意匠のトイレ装置を提供することができる。
【０００９】
本発明において、好ましくは、化粧カバーは、化粧カバーの上方側に配置されトイレ装置を内外側から挟み込むことにより固定する上方固定部と、化粧カバーの下方側に配置されトイレ装置に粘着力により固定する下方固定部と、を備えていることを特徴としている。
このように構成された本発明においては、化粧カバー全体の湾曲が復元しようとする力が下方固定部をトイレ装置に押し付ける方向に働くため、化粧カバーとトイレ装置をより密着して固定することができるので、外観全体としてより一体感のある高意匠のトイレ装置を提供することができる。
【００１０】
本発明において、好ましくは、前記上方固定部は、前記化粧カバーとは別部材で構成され、前記化粧カバーを前記トイレ装置に固定するための挟持部と、前記上方固定部を前記化粧カバーに回転自在に取り付けるための支軸と、前記上方固定部が回転しないように前記化粧カバーに固定するための係止部とを備えていることを特徴としている。
このように構成された本発明においては、使用者が、予め定められた取り外し手順を踏まえずに、化粧カバーを水平方向に強引に引っ張り取り外そうとした場合、上方固定部の係止部が外れ上方固定部の支軸を中心に回転し化粧カバーから外れるようになっているので、化粧カバー自体が破壊されることを防ぐことができる。
【発明の効果】
【００１１】
本発明によれば、化粧カバーをトイレ装置により密着させることにより、外観全体として一体感のある高意匠のトイレ装置を提供することができる。
【図面の簡単な説明】
【００１２】
【図１】本発明を適用した第一実施形態のトイレ装置を示す斜視透視図である。
【図２】本発明を適用した第一実施形態のトイレ装置に使用される化粧カバーを示す斜視図である。
【図３】本発明を適用した第一実施形態のトイレ装置の外殻状態を示す断面図である。
【図４】（ａ）本発明を適用した第二実施形態のトイレ装置に使用される化粧カバーを示す斜視図、（ｂ）上方固定部（フック）が外れた状態の図４（ａ）の化粧カバーを示す斜視図、
【図５】図４の化粧カバーの６面図である。
【発明を実施するための形態】
【００１３】
図１は、本発明を適用した第一実施形態のトイレ装置１を示す斜視透視図である。図１を使用して、本発明のトイレ装置１における全体構成について詳説する。
トイレ装置１は、陶器で形成される便器本体部７と、使用者が排泄を行うボウル部４と、溜水を貯留して図示しない建物の排水配管内の臭気や衛生害虫の侵入防止を図るトラップ部５と、および、図示しない建物の排水配管内とトラップ部５とを連通する排水ソケット６と、を備えている。一般的にトイレ装置１の便器本体部７の材質は陶器またはアクリル樹脂であるが、前述のような通水経路を構成する必要があることから、外郭には凸凹形状である通水経路部分をむき出しにした方が生産性は良好である。本発明において、前述の外郭に生じた凸凹形状である部分を、化粧カバー２、３で覆うことにより、トイレ装置１として一体感があるデザインとなるよう配慮されている。化粧カバー２、３をトイレ装置１に組み付ける方法は後述する。
【００１４】
図２は、本発明を適用した第一実施形態のトイレ装置に使用される化粧カバーを示す斜視図である。図２を使用して、化粧カバー２、３の構造について詳説する。
化粧カバー３をとり上げて説明するが、構造的には左右対称である。化粧カバー３の外郭を構成している部分が化粧部材３１であり、トイレで使用される酸性やアルカリ性の洗剤を配慮してポリプロピレン等を材質として選定することが推奨される。化粧部材３１の上部には、トイレ装置１の便器本体部７に係合するようフック３２（上方固定部）が所定間隔を空けて２箇所設けられている。素材の持つ弾性強度を利用して化粧部材３１をトイレ装置１の便器本体部７に引き付ける必要があることから、耐クリープ強度の高いポリアセタールやポリブチレンテレフタレートなどが推奨される。化粧部材３１の下方には受部３３（下方固定部）、支持部３４が設けられ、化粧カバー３全体の質量をトイレ装置１の便器本体部７で受けている。また化粧部材３１の下方には接着手段３３ａが設けられ、化粧カバー３がトイレ装置１の便器本体部７から脱落しないようになっている。接着方法としては、マジックテープ（登録商標）と称されるような着脱自在の面ファスナー構造が推奨される。
【００１５】
図３は、本発明を適用した第一実施形態のトイレ装置の外殻状態を示す断面図である。図３を使用して、トイレ装置１、便器本体部７、化粧カバー２、３の形状について詳説する。
トイレ装置１の便器本体部７と化粧カバー２、３の外形および外郭の曲率半径は、設計通りの正確な寸法であれば隙間や段差が発生することは少ないが、実際にはサイズの大きなトイレ装置１と、サイズの小さな化粧カバー２、３を設計通りに正確な寸法で生産することは難しい。特に、便器本体部７が陶器で形成される場合は、製造誤差が生じ易く設計通りに正確な寸法で生産することは極めて難しい。本発明において、トイレ装置１の便器本体部７と化粧カバー２、３の接合面は斜面テーパ１１で面接触するようになっているので、トイレ装置１の便器本体部７に製造誤差が発生し、トイレ装置１の便器本体部７と化粧カバー２、３との接触面に寸法のズレが生じたとしても、そのズレを目立たなくすることができるので、よりトイレ装置１外観全体を一体感のあるものとすることができる。また化粧部材３１外郭の床に対する上下方向の曲率半径Ｒ１と、トイレ装置１の便器本体部７が化粧部材３１と接する外郭部分の床に対する上下方向の曲率半径Ｒ２の関係は、Ｒ１＜Ｒ２の関係としており、化粧部材３１がトイレ装置１の便器本体部７から飛び出して段差を生じないよう配慮されている。機能的に凸凹のあるトイレ装置１に対して、樹脂製の化粧カバー３を組み合わせて外観全体としての一体感を実現すると共に、トイレ装置１の便器本体部７と化粧部材３１とが別材質であっても、視覚的には隙間や段差が発生しているように見えることを防止し、高意匠の外郭を実現することができるようになっている。
【００１６】
上述した本発明の実施形態によるトイレ装置によれば、側面に化粧カバー３を備えたトイレ装置において、化粧カバー３はトイレ装置に固定するための固定部（フック３２、受部３３、支持部３４）を備え、化粧カバー３をトイレ装置１に取り付けた状態で、化粧カバー３の外郭はトイレ装置１側に湾曲していることを特徴とすることにより、化粧カバー３がトイレ装置１側に湾曲し撓んだ状態で固定されるため、化粧カバー３とトイレ装置１との隙間が減り、化粧カバー３をトイレ装置１に密着して固定することができる。それにより、トイレ装置１外観全体を一体感のあるものとすることができ、意匠性が向上する。
【００１７】
また、本発明の実施形態によるトイレ装置によれば、トイレ装置１の化粧カバー３との外郭接触面１１は、斜面テーパー形状になっていることを特徴とすることにより、トイレ装置１に製造誤差が発生し、トイレ装置１と化粧カバー３との接触面に寸法のズレが生じたとしても、そのズレを目立たなくすることができるので、よりトイレ装置１外観全体を一体感のあるものとすることができ、意匠性が向上する。
【００１８】
本発明の実施形態によるトイレ装置によれば、化粧カバー３は、化粧カバー３の上方側に配置されトイレ装置１を内外側から挟み込むことにより固定する上方固定部（フック３２）と、化粧カバー３の下方側に配置されトイレ装置１に粘着力により固定する下方固定部（受部３３）と、を備えていることを特徴とすることにより、化粧カバー３全体の湾曲が復元しようとする力が下方固定部（受部３３）をトイレ装置１に押し付ける方向に働くため、より化粧カバー３とトイレ装置１をより密着して固定することができるので、よりトイレ装置１外観全体を一体感のあるものとすることができ、意匠性が向上する。
【００１９】
また、上述の実施形態によるトイレ装置１によれば、化粧カバー３における外郭全体の曲率半径Ｒ１と、トイレ装置１における化粧カバー３との接合面の曲率半径Ｒ２とが、Ｒ２＞Ｒ１であることを特徴とすることにより、化粧カバー３がトイレ装置外郭面より外側へ飛び出すことがないため、よりトイレ装置１外観全体を一体感のあるものとすることができ、意匠性が向上する。
【００２０】
つぎに、図４、図５を参照して、本発明の第二実施形態のトイレ装置に使用される化粧カバーを説明する。
ここで、図４（ａ）は、本発明を適用した第二実施形態のトイレ装置に使用される化粧カバーを示す斜視図である。図４（ｂ）は、上方固定部（フック）が外れた状態の図４（ａ）の化粧カバーを示す斜視図である。図５は、図４の化粧カバーの６面図である。図４、図５において、上述した本発明の第一実施形態による化粧カバーと同一の部分については同一の符号を付し、それらの説明は省略する。
【００２１】
化粧カバー３は、化粧カバーの本体部である化粧部材３１と、化粧カバー３の上方にはトイレ装置１の便器本体部７に係合するようフック３２（上方固定部）と、化粧カバー３の下方には受部３３（下方固定部）と、化粧カバー３の側方には支持部３４と、を備えている。受部３３（下方固定部）とそれに対応して接するトイレ装置１の便器本体部７との両方には、面ファスナー構造が設けられ互いが接着するようになっている。
【００２２】
フック３２（上方固定部）は、化粧部材３１とは別部材で構成され、便器本体部７の内側から挟み込むように化粧カバー３を固定するための挟持部３２ａと、化粧部材３１に形成される水平方向の穴に係合しフック３２を化粧部材３１にして回転させる支軸３２ｂと、化粧部材３１に形成される鉛直方向の穴に係合しフック３２が回転しないように固定する係止部３２ｃとを備えている。
【００２３】
ここで、化粧カバー３のトイレ装置１の便器本体部７への取付方法について説明する。まず、化粧部材３１の鉛直方向の穴にフック３２の係止部３２ｃをしっかり嵌め込み、フック３２が化粧カバー３に対して回転しないように固定する。次に、便器本体部７の側面の開口に対して、フック３２の挟持部３２ａと化粧カバー３とで便器本体部７の内外面を挟み込むように便器本体部７の側面の開口に挿入する。その後、受部３３（下方固定部）とトイレ装置１の便器本体部７とを面ファスナーにて接着し、化粧カバー３を便器本体部７に固定する。
【００２４】
化粧カバー３をトイレ装置１から取り外す際は、上述の取付手順とは逆手順で容易に取り外すことができる。万が一、使用者が、そのような手順を踏まえずに、化粧カバー３を水平方向に強引に引っ張り取り外そうとした場合、フック３２の係止部３２ｃが化粧部材３１の鉛直方向の穴から外れフック３２が支軸３２ｂを中心に回転し化粧カバー３が外れるようになっている（図４ｂの状態）。このような構造により、化粧カバー３が破壊されること防ぐことができている。
【００２５】
ここで、図５を参照して、化粧カバー３の化粧部材３１の外郭形状を説明する。図５の上面図及び下面図を見て明らかのように、化粧部材３１の水平方向は、便器本体部７に取り付けていない状態で、化粧部材３１の外郭が全体的に便器本体部７への取付方向とは逆方向に湾曲している湾曲部３１ａを有している。このように湾曲している形状により、便器本体部７が予め設計された寸法とは異なる寸法で成型されても、化粧カバー３の湾曲部３１ａがトイレ装置に倣うように撓んだ状態で取付られるために、化粧カバーをトイレ装置の外郭と一体的に密着して固定することができる。それより、カバーとトイレ装置との隙間が減り、外観全体としてより一体感のある高意匠のトイレ装置を提供することができる。便器本体部７が陶器で形成される場合には、予め設計された寸法通り設計することは難しいため、本発明を陶器で形成された便器本体部７に適用すると特に有効である。
【００２６】
上述した本発明の実施形態によるトイレ装置によれば、側面に化粧カバー２、３を備えたトイレ装置１において、化粧カバー２、３はトイレ装置１に固定するための固定部（フック３２、受部３３、支持部３４）を備え、化粧カバー２、３は、それ自体が撓んだ状態で前記トイレ装置１に固定されることを特徴としている。このように構成された本発明においては、化粧カバー２、３がトイレ装置１にそれ自体が撓んだ状態で固定されるため、トイレ装置１に製造誤差が発生し、トイレ装置１と化粧カバー２、３とに隙間が生じたとしても、化粧カバー２、３をトイレ装置１に密着して固定することができるため、カバー２、３とトイレ装置１との隙間が減り、外観全体として一体感のある高意匠のトイレ装置１を提供することができる。
【００２７】
また、上述した本発明の実施形態によるトイレ装置によれば、化粧カバー２、３は、トイレ装置１より取り外した状態で、化粧カバー２、３の外郭がトイレ装置１への取付方向とは逆方向に湾曲する湾曲部３１ａを有しており、化粧カバー２、３をトイレ装置１に取り付けた状態で、湾曲部３１ａがトイレ装置１の外郭に倣うように構成されていることを特徴としている。このように構成された本発明においては、化粧カバー２、３は、トイレ装置１より取り外した状態で、化粧カバー２、３の外郭がトイレ装置１への取付方向とは逆方向に湾曲し、トイレ装置１に取り付けた状態で、トイレ装置１の外郭に倣う湾曲部３１ａを有しているため、トイレ装置１に化粧カバー２、３を取り付けた際に、この化粧カバー２、３の湾曲部３１ａがトイレ装置１に倣うように撓んだ状態で取付られるために、化粧カバー２、３をトイレ装置１の外郭と一体的に密着して固定することができるため、カバー２、３とトイレ装置１との隙間が減り、外観全体としてより一体感のある高意匠のトイレ装置１を提供することができる。
【００２８】
上述した本発明の実施形態によるトイレ装置によれば、上方固定部３２は、化粧カバーとは別部材で構成され、化粧カバー２、３をトイレ装置１に固定するための挟持部３２ａと、上方固定部３２を化粧カバー２、３に回転自在に取り付けるための支軸３２ｂと、上方固定部３２が回転しないように化粧カバー２、３に固定するための係止部３２ｃとを備えていることを特徴としている。このように構成された本発明においては、使用者が、予め定められた取り外し手順を踏まえずに、化粧カバー２、３を水平方向に強引に引っ張り取り外そうとした場合、上方固定部３２の係止部３２ｃが外れ上方固定部３２の支軸３２ｂを中心に回転し化粧カバー２、３から外れるようになっているので、化粧カバーが２、３破壊すること防ぐことができる。
【００２９】
以上の実施形態によって本発明が限定されることはなく、その細部の構成において様々な変更形態が可能であることは言うまでもない。
【符号の説明】
【００３０】
１…トイレ装置
２…化粧カバー
３…化粧カバー
４…ボール部
５…トラップ部
６…排水ソケット
７…便器本体部
１１…斜面テーパ
３１…化粧部材
３１ａ…湾曲部
３２…フック（上方固定部）
３２ａ…挟持部
３２ｂ…支軸
３２ｃ…係止部
３３…受部（下方固定部）
３４…支持部
【図１】
2011064057.tif 000003
【図２】
2011064057.tif 000004
【図３】
2011064057.tif 000005
【図４】
2011064057.tif 000006
【図５】
2011064057.tif 000007